(57)【特許請求の範囲】
【請求項１】
脱ぷ風選後の混合米を選別し、その選別による仕上玄米をバケット（２）付きの玄米昇降機（１）により次工程に揚上搬送して処理する籾摺調製施設であって、玄米昇降機（１）のバケット（２）が下降するがわから回行し上昇がわに転じて仕上玄米をすくい上げる部分に相当する機体の側壁（３）にシャッタ−（４）付きの取出口（５）を開口したことを特徴とする籾摺調製施設の仕上玄米サンプル取出装置。
【請求項２】
シャッタ−（４）の外側に取出口（５）に連通するサンプル取出樋（６）を附設したことを特徴とする請求項１．記載の籾摺調製施設の仕上玄米サンプル取出装置。
【発明の詳細な説明】
【０００１】
【発明の属する技術分野】
本発明は、籾摺調製施設の仕上米サンプル取出装置に関するもので、特に、施設中に組み込まれた籾摺選別機により籾を脱ぷ風選して、その脱ぷ風選後の混合米を選別し、選別した仕上玄米をバケット付きの玄米昇降機により次工程に揚上搬送して処理するものにおける仕上玄米サンプル取出装置である。
【０００２】
【従来の技術】
従来、籾摺選別機によって脱ぷ風選し選別した仕上玄米からサンプルを取出して籾摺選別の状態を把握するものとしては、例えば、玄米昇降機に至る玄米流路からサンプル取出路を分岐し、その分岐部に設ける切替弁を開して適宜サンプルを取出すようにしている。
【０００３】
【発明が解決しようとする課題】
しかし、この従来の方法によると、サンプル取出路の分岐部などにできるデドスペ−スには常に穀粒が滞留して居座り、切替弁を操作してサンプルを取出すとき、その居座ったものがサンプル取出路から取出されるものに伴われて混入しながら出てくるので、取出されるサンプルが信頼性を欠ぐものになって現時点における籾摺選別の状態を正確に把握することができない欠点がある。
【０００４】
【課題を解決するための手段】
そこで、この発明によれば、脱ぷ風選後の混合米を選別し、その選別による仕上玄米をバケット付きの玄米昇降機により次工程に揚上搬送して処理する籾摺調製施設であって、玄米昇降機のバケットが下降するがわから回行し上昇がわに転じて玄米をすくい上げる部分に相当する機体の側壁にシャッタ−付きの取出口を開口した構成のものにすることにより、玄米昇降機のバケットによってすくい上げられる際に攪拌され飛散する仕上玄米が取出口から取出されるので、籾摺選別における現時点のものが偏ることなく取出されるようになって、サンプルとしての信頼性を高め籾摺選別の状態の把握確認が正確になる。
【０００５】
その場合、シャッタ−の外側に取出口に連通するサンプル取出樋を附設すると、サンプル取出樋により取出口の外側を覆うから、取出口から大きく飛散しようとするものの飛散がなくなってサンプルは更に信頼性が増すのである。
【０００６】
【発明の実施の形態】
【実施例】
以下、この発明による装置に関して実施例図を参照し具体的に説明する。そこで、先ず、籾摺調製施設中に組み込まれた籾摺選別機についてその概要を図４と図５により記載すると、機台（７）上の前がわに脱ぷ風選部を後がわに揺動選別部を配置して、籾タンク（８）に流入する乾燥済の籾を脱ぷ風選し、籾殻は排塵筒（９）から機外に排出し粃類を揚穀筒（１０）により取出し、玄米と籾の混合米は混合米昇降機（１１）により揚上して混合米タンク（１２）に貯留しつつ数段に積み重ねた揺動選別盤に配分してその揺動作用により選別を行い、選別後の籾を籾スロワ−（１３）により籾タンク（８）に返し仕上玄米は玄米昇降機（１）によって粒選別機などの次工程に揚上搬送するようになっている。
【０００７】
次に、玄米昇降機（１）について図１と図２により記載する。（２）はバケットで、玄米昇降機（１）の機体内を矢印（イ）で示すように下降したのち後がわから前がわに回行して矢印（ロ）のように上昇し揺動選別盤の揺動作用により選別され風選されたのちスクリュ−コンベヤ（１４）により横送されて機体の前壁（１５）がわから流入してくる仕上玄米をすくい上げて次工程に揚上搬送するのである。
【０００８】
（５）は機体外側の側壁（３）に開口する取出口で、バケット（２）を等間隔に具備するバケットベルト（１６）をかけ回した金車軸（１７）の前がわにおける外側方部分、すなわち、バケット（２）が下降するがわから回行し上昇がわに転じて機体の前壁（１５）がわから流入する仕上玄米をすくい上げる外側方部分に相当する機体外側の側壁（３）に開口し、その取出口（５）には上下動により開閉するシャッタ−（４）が装着されている。
【０００９】
また、（６）は角形で筒状のサンプル取出樋で、前記シャッタ−（４）の外側に附設されて取出口（５）の外側を覆い、内部は取出口（５）を通して機体内に連通している。
【００１０】
そこで、シャッタ−（４）を上動して取出口（５）を開き仕上玄米中からサンプルを取出すときは、スクリュ−コンベヤ（１４）により横送され前壁（１５）がわから流入する仕上玄米は、前述のように、機体内を矢印（イ）で示すように下降したのち後がわから前がわに回行して矢印（ロ）のように上昇するバケット（２）によってすくい上げる際に攪拌され、その攪拌されたものの一部が飛散して取出口（５）から飛び出しサンプル取出樋（６）により下方に案内されて取出されるのである。
【００１１】
図３は他の実施例のものを示してあって、スクリュ−コンベヤ（１４）により横送されてくる仕上玄米が玄米昇降機（１）の後壁（１８）がわから流入してバケット（２）により揚上するもので、仮装線で示すもののように、シャッタ−（４）付き取出口（５）とサンプル取出樋（６）を、前述の如く、仕上玄米をすくい上げる外側方部分に相当する機体外側の側壁（３）に設けるか、あるいは実線で示すように、前壁（１５）がわの部分に設けるのである。
【００１２】
このように、サンプルを取出すためのシャッタ−（４）付きの取出口（５）およびサンプル取出樋（６）は図１または図２の仮想線で示す外側の側壁（３）に設けてもよく、また、図２に実線で示す前壁（１５）がわの部分に設けてもよいのである。
【００１３】
【発明の効果】
本発明は、以上説明したような形態で実施され、次に記載するような効果を奏する。
【００１４】
すなわち、脱ぷ風選後の混合米を選別し、その選別による仕上玄米をバケット付きの玄米昇降機により次工程に揚上搬送して処理する籾摺調製施設であって、玄米昇降機のバケットが下降するがわから回行し上昇がわに転じて玄米をすくい上げる部分に相当する機体の側壁にシャッタ−付きの取出口を開口した構成のものにすることにより、玄米昇降機のバケットによってすくい上げられる際に攪拌され飛散する仕上玄米が取出口から取出されるので、デドスペ−スなどに滞留して居座るものが混入しサンプルとして取出されることもなく籾摺選別における現時点のものが偏ることなく取出されるようになって、サンプルとしての信頼性を高め籾摺選別の状態の把握確認が正確になる。
【００１５】
また、シャッタ−の外側に取出口に連通するサンプル取出樋を附設したことで、サンプル取出樋により取出口の外側を覆うから、取出口から大きく飛散しようとするものが飛散せず下方に案内されて取出されるから、サンプルは更に信頼性が増すのである。
【図面の簡単な説明】
【図１】玄米昇降機下部を外側から見た図である。
【図２】図１のＡ−Ａ線における断面図である。
【図３】玄米昇降機の他の実施例のものを示した図である。
【図４】籾摺選別機全体の概要側面図である。
【図５】同籾摺選別機の平面図である。
【符号の説明】
１    玄米昇降機
２    バケット
３    側壁
４    シャッタ−
５    取出口
６    サンプル取出樋
【図１】
0004358422.tif 000002
【図２】
0004358422.tif 000003
【図３】
0004358422.tif 000004
【図４】
0004358422.tif 000005
【図５】
0004358422.tif 000006